(57)【要約】本発明は、低エネルギでＨ＋イオンと電子との衝突が生じるのを促進するために、Ｈ＋イオンと電子を非導電性材料（２）内に侵入する装置に関する。具体的には、本発明は、水素含有化合物（３）及び少なくとも１個のカソード（４）から出る少なくとも１個のＨ＋イオンと少なくとも１個の電子を衝突させる装置に関し、その装置は、前記水素含有化合物（３）から前記Ｈ＋イオンを引き抜き、かつ、前記Ｈ＋イオンを前記カソード（４）に向かって移行させるための少なくとも１つの電磁界発生器、及び、前記水素含有化合物の少なくとも一部分と前記カソード（４）との間に配置された少なくとも１つの非導電性材料、と含み、前記衝突は前記非導電性材料内で起こることを特徴とする。【選択図】図２
2008502568.tif 000002
【特許請求の範囲】
【請求項１】
水素含有化合物及び少なくとも１個のカソードから出る少なくとも１個のＨ＋イオンと少なくとも１個の電子を衝突させる装置であって、前記装置は、
前記水素含有化合物から前記Ｈ＋イオンを引き抜き、前記Ｈ＋イオンを前記カソードに向かって移行させるための少なくとも１つの電磁界発生器と、及び、
前記水素含有化合物の少なくとも一部分と前記カソードとの間に配置された少なくとも１つの非導電性材料とを含み、
前記衝突は前記非導電性材料内で起こる、ことを特徴とする装置。
【請求項２】
請求項１に記載の、少なくとも１個のＨ＋イオンと少なくとも１個の電子を衝突させる装置において、前記電磁界発生器は、電位の異なる位置に配置された２個の導電板から構成されることを特徴とする装置。
【請求項３】
請求項２に記載の、少なくとも１個のＨ＋イオンと少なくとも１個の電子を衝突させる装置において、前記カソードが前記導電板のうちの１個と一体であることを特徴とする装置。
【請求項４】
請求項１に記載の、少なくとも１個のＨ＋イオンと少なくとも１個の電子を衝突させる装置において、前記水素含有化合物が酸性電解質水溶液であることを特徴とする装置。
【請求項５】
請求項１に記載の、少なくとも１個のＨ＋イオンと少なくとも１個の電子を衝突させる装置において、前記水素含有化合物は液体化合物であることを特徴とする装置。
【請求項６】
請求項１に記載の、少なくとも１個のＨ＋イオンと少なくとも１個の電子を衝突させる装置において、前記水素含有化合物は固体化合物であることを特徴とする装置。
【請求項７】
請求項１に記載の、少なくとも１個のＨ＋イオンと少なくとも１個の電子を衝突させる装置において、前記水素含有化合物は気体化合物であることを特徴とする装置。
【請求項８】
請求項１に記載の、少なくとも１個のＨ＋イオンと少なくとも１個の電子を衝突させる装置において、前記水素含有化合物はプラズマであることを特徴とする装置。
【請求項９】
請求項１に記載の、少なくとも１個のＨ＋イオンと少なくとも１個の電子を衝突させる装置において、前記非導電性材料はセラミックスであることを特徴とする装置。
【請求項１０】
請求項１に記載の、少なくとも１個のＨ＋イオンと少なくとも１個の電子を衝突させる装置において、前記非導電性材料はセラミックスの少なくとも１つの層から構成されることを特徴とする装置。
【請求項１１】
請求項１に記載の、少なくとも１個のＨ＋イオンと少なくとも１個の電子を衝突させる装置において、前記非導電性材料は水晶の少なくとも１つの層及びセラミックスの少なくとも１つの層から構成されることを特徴とする装置。
【請求項１２】
請求項９に記載の、少なくとも１個のＨ＋イオンと少なくとも１個の電子を衝突させる装置において、前記セラミックスは六方晶系窒化ホウ素（ＨＢＮ）を含むことを特徴とする装置。
【請求項１３】
請求項１に記載の、少なくとも１個のＨ＋イオンと少なくとも１個の電子を衝突させる装置において、前記非導電性材料は前記カソードの少なくとも一部分を覆うことを特徴とする装置。
【請求項１４】
請求項１に記載の、少なくとも１個のＨ＋イオンと少なくとも１個の電子を衝突させる装置において、前記非導電性材料は前記カソードの全部分を覆うことを特徴とする装置。
【請求項１５】
請求項１に記載の、少なくとも１個のＨ＋イオンと少なくとも１個の電子を衝突させる装置において、前記非導電性材料は、前記水素含有化合物と前記カソード間の接触を阻止することを特徴とする装置。
【請求項１６】
請求項１に記載の、少なくとも１個のＨ＋イオンと少なくとも１個の電子を衝突させる装置が、さらにアノードを含むことを特徴とする装置。
【請求項１７】
請求項１に記載の、少なくとも１個のＨ＋イオンと少なくとも１個の電子を衝突させる装置において、前記非導電性材料内での前記Ｈ＋イオンのエネルギは、前記衝突が少なくとも１個の水素原子を発生させるものであることを特徴とする装置。
【請求項１８】
請求項１に記載の、少なくとも１個のＨ＋イオンと少なくとも１個の電子を衝突させる装置において、前記非導電性材料内での前記Ｈ＋イオンのエネルギは、前記衝突が少なくとも１個の中性子を発生させるものであることを特徴とする装置。
【請求項１９】
水素含有化合物及び少なくとも１個のカソードから出る少なくとも１個のＨ＋イオンと少なくとも１個の電子を衝突させる方法であって、少なくとも下記の工程、
・前記水素含有化合物の少なくとも一部分と前記カソードとの間に、少なくとも１つの非導電性材料を配置し、
・前記水素含有化合物から前記少なくとも１個の前記Ｈ＋イオンを引き抜き、そして、
・前記少なくとも１個のＨ＋イオンを前記非導電性材料内に入れ、前記非導電性材料内で、前記Ｈ＋イオンは前記カソードから供給される少なくとも１個の電子と衝突する、
を含むことを特徴とする方法。
【請求項２０】
請求項１９に記載の、水素含有化合物及び少なくとも１個のカソードから出る少なくとも１個のＨ＋イオンと少なくとも１個の電子を衝突させる方法であって、前記水素含有化合物から少なくとも１個のＨ＋イオンを引き抜く工程が、電磁界を使用して行われることを特徴とする方法。
【請求項２１】
請求項１９に記載の、水素含有化合物及び少なくとも１個のカソードから出る少なくとも１個のＨ＋イオンと少なくとも１個の電子を衝突させる方法であって、前記プロトンを前記非導電性材料内に入れる工程が、イオン移行によって行われことを特徴とする方法。
【請求項２２】
請求項１９に記載の、水素含有化合物及び少なくとも１個のカソードから出る少なくとも１個のＨ＋イオンと少なくとも１個の電子を衝突させる方法であって、前記非導電性材料内での前記Ｈ＋イオンのエネルギは、前記衝突が水素原子を発生させるものであることを特徴とする方法。
【請求項２３】
請求項１９に記載の、水素含有化合物及び少なくとも１個のカソードから出る少なくとも１個のＨ＋イオンと少なくとも１個の電子を衝突させる方法であって、前記非導電性材料内での前記Ｈ＋イオンのエネルギは、前記衝突が中性子を発生させるものであることを特徴とする方法。
【発明の詳細な説明】
【技術分野】
【０００１】
本発明は、物質内で、電界、磁界、及び電磁界によって粒子を操作する分野に関する。
【０００２】
具体的には、本発明は、Ｈ＋イオン及び電子を非導電材料中に侵入させて、それらの低エネルギでの衝突を促進する装置に関する。
【背景技術】
【０００３】
従来技術は、水素を発生する電気分解の原理を開示している。図１は、電気分解の一般的な原理を示している。カソードは、たとえば、酸性水溶液中に配置される。電流が流れる作用で、その水溶液中のＨ＋イオンはカソードに引き付けられる。それから、カソードは電子を放出し、その電子は、Ｈ＋と一緒に水素原子を形成し、次いで水素分子を形成する。水素が存在することは、液体中の泡の発生で見ることができる。この水素の一部は、カソードの物理化学特性に応じて、カソードに侵入する。
【０００４】
米国特許第４，４６６，８２０号では、セラミックスからイオンを引き抜くのに電気分解が用いられている。そこで、様々な帯電イオンが、その電荷に応じて、カソード又はアノードに向かって引き付けられる。
【０００５】
【特許文献１】米国特許第４，４６６，８２０号
【発明の開示】
【発明が解決しようとする課題】
【０００６】
水素を発生させるための、あるいは、粒子を移行させるための、これらの従来技術の電気分解法による欠点は、水素原子を発生させた後で保存することができず、それらは、たとえば、微小な気泡の形で逃げてしまうことである。
本発明は、なかんずく、電気分解の原理を用いる従来技術の欠点を克服し、従来の加圧ガスタンク以外で水素を吸蔵する用途を含むものである。
【課題を解決するための手段】
【０００７】
金属水素化物に水素を吸蔵する実験は、すでに、フランス国立科学研究センター（ＣＮＲＳ ｌａｂｏｒａｔｏｒｉｅｓ）(ｈｔｔｐ：／／ｕｌｙｓｓｅ．ｇｌｖｔ−ｃｎｒｓ．ｆｒ／ｌｃｍｔｒ／ｈｙｄｒｕｒｅｓ．ｈｔｍｌ)によって行なわれた。
【０００８】
これらの実験の根底にある基本的な考えは、多数の金属及び金属間化合物が、雰囲気圧及び周囲温度に近い条件で、可逆的に水素を吸蔵することができるということである。それらは、金属原子当たり少なくとも１個の水素原子の、水素吸蔵容量の水素化物を形成する。比較すると、その容量は、容量分析で液体水素の容量の倍である。複数の金属水素化物が、それらの基本的な特性及び用途の両観点から検討された。金属間化合物が、高周波誘導炉、アーク炉、又は機械的合成によって、制御された雰囲気中で、複数の純粋成分を共融合して得られる。これら化合物の水素化物は、容積分析装置で、気体水素との反応で合成される（ジーベルツ法（Ｓｉｅｖｅｒｔ’ｓ  ｍｅｔｈｏｄ））。前記実験装置は、水素化反応の熱力学特性（形成の、平衡圧、容積、エンタルピー、及びエントロピー）を決めることができる。水素化物は、水分子を解離することによって、電気化学反応で合成してもよく、その方法は、アルカリＮｉ−ＭＨ型電池で広く用いられている。金属間化合物及びその水素化物の構造は、Ｘ線及び中性子回折によって特性が明らかにされる。これらの物理的特性は、磁気測定、メスバウア分光法及びＸ線吸収によって調べられる。
【０００９】
より一般的にいえば、先行技術は、多孔質材料内でのイオンの転送プロセスも開示している。O.  Amiri,A.  Ait-Mokhtar,A.  Seigneurin,A.  Ammar-B等による表題が「コンクリート内での塩化物の拡散に対する電界の作用に関する理論的及び実験的考察」（Etude  theorique  et  experimentale  de  l’action  d’un  champ  electrique  sur  la  diffusion  des  chlorures  dans  les  betons）、第１５回土木工学・大学会議、ストラスブール（15th  Rencontres  Universitaires  de  Genie  Civil,  Strasbourg）、pp259-265,  9-10  May  1997、なる発表によれば、たとえば、多孔構造に含まれる電解液の電気毛管吸着層と相互作用する、主たるイオン移送のメカニズムを取り上げている。
【００１０】
本発明の装置は、非導電性材料（たとえば、水晶又はセラミックス）内に、水素化反応ではなく、カソード及び転送電界の存在下（図４）で、Ｈ＋イオンを材料中に挿入することによって水素を吸蔵することができる。
【００１１】
本発明は、少なくとも１個のＨ＋イオンと１個の電子の低エネルギの衝突（数電子ボルトから数百電子ボルト）に特に適していて、それは、所定の選択した電界及び磁界条件及び非導電性材料の選択を考えて、たとえば、中性子を作って、低エネルギ中性子源を得ることができる。
【００１２】
本発明は、１個のＨ＋イオンと１個の電子の低エネルギの衝突にも特に適していて、それは、所定の選択した電界及び磁界条件及び非導電性材料の選択を考えて、たとえば、非導電性材料内で水素原子を作って、水素吸蔵装置を形成することができる。
【００１３】
この目的達成のため、本発明は、前記の形式のものであり、かつ顕著なものであり、広義の態様において、水素含有化合物及び少なくとも１個のカソードから出る少なくとも１個のＨ＋イオンと少なくとも１個の電子を衝突させる装置を提供するもので、その装置は、
・前記水素含有化合物から前記Ｈ＋イオンを引き抜き、前記Ｈ＋イオンを前記カソードに向かって移行させるための少なくとも１つの電磁界発生器と、及び、
・前記水素含有化合物の少なくとも一部分と前記カソードとの間に配置された少なくとも１つの非導電性材料とを含み、
前記衝突は前記非導電性材料内で起こる、ことを特徴とする。
【００１４】
好ましくは、前記電磁界発生器は、電位の異なる位置に配置された２個の導電板から構成される。
【００１５】
一実施例では、前記カソードは、前記導電板のうちの１個と一体である。
【００１６】
一実施例では、前記水素含有化合物は、酸性電解質水溶液である。
【００１７】
実施例の一つでは、前記水素含有化合物は、液体、固体、若しくは気体化合物、又はプラズマである。
【００１８】
都合がよいのは、前記非導電性材料はセラミックスである。
【００１９】
好ましくは、前記非導電性材料は少なくとも１つのセラミックス層で構成される。
【００２０】
都合がよいのは、前記非導電性材料は、少なくとも１つの水晶層及び少なくとも１つのセラミックス層から構成される。
【００２１】
一実施例では、前記セラミックスは六方晶系窒化ホウ素（ＨＢＮ）を含む。
【００２２】
変形例では、前記非導電性材料は前記カソードの少なくとも一部分を覆う。
【００２３】
別な変形例では、前記非導電性材料は前記カソード全体を覆う。
【００２４】
好ましくは、前記非導電性材料は、前記水素含有化合物と前記カソード間の接触を阻止する。
【００２５】
好ましくは、装置はアノードも含む。
【００２６】
一実施例では、前記非導電性材料内での前記Ｈ＋イオンのエネルギは、前記衝突が中性子を発生させるものである。
【００２７】
別な実施例では、前記非導電性材料内での前記Ｈ＋イオンのエネルギは、前記衝突が水素原子を発生させるものである。
【００２８】
本発明は、水素含有化合物及び少なくとも１個のカソードから少なくとも１個の水素原子を発生する方法でもあって、その方法は、少なくとも、
・前記水素含有化合物の少なくとも一部分と前記カソードとの間に、少なくとも１つの非導電性材料を配置し、
・前記水素含有化合物から少なくとも１個のＨ＋イオンを引き抜き、そして、
・前記Ｈ＋イオンを前記非導電性材料内に入れ、前記非導電性材料内で、前記Ｈ＋イオンが前記カソードから供給される少なくとも１個の電子と衝突する、
ことを含んでいる。
【００２９】
好ましくは、前記水素含有化合物から少なくとも１個のＨ＋イオンを引き抜くことが電磁界によって行われる。
【００３０】
都合がよいのは、前記プロトンを前記非導電性材料内に入れることが、イオン移行によって行われる。
【００３１】
本発明は、添付の図面を参照してされる本発明の実施例の、単に例示的な説明としてされる次の記載から、より良く理解することができる。
【実施例１】
【００３２】
図２に示す実施例において、本発明の装置は、状況に応じて磁界発生器が付設される電界発生器１、イオン、プラズマ、気体、液体、若しくは固体状の水素を一部あるいは全部を含む、固体、液体、若しくは気体形状素子３、及び、カソード板４を含み、非導電性材料２が、カソード板４と前記形状の少なくとも１つの水素を含有する素子３との間に配置されるようにされる。任意であるが、カソード板４及び電磁界発生器は、単一素子に一体化することができる。
【００３３】
前記装置の一般的な原理は、発生器１によって生じた電磁界が、素子３に含まれる水素の異なる状態からＨ＋イオン（プロトン、又は、デューテロン若しくはトリトンのような水素の同位体のイオン）を発生し、加速し、そして、方向付けをする。それら電磁界の作用下で、Ｈ＋イオン（プロトン）が、カソードに接触する前に、その材料内に入るように、非導電性材料２が配置される。
【００３４】
材料２は非導電性であるから、カソードによって放された電子はその材料を貫通しないで、たとえば、水中のように通常の電気分解反応を惹き起こすかもしれないような、水素系物質と一緒になる。したがって、この材料の存在は、電子を「保持」するように働いて、電子は電解液を通過することなく、したがって、Ｈ＋イオンと電子間の反応に都合のよい場所を作り出す。
【００３５】
非導電性材料内で、それから、カソード板４によって電子ｅ-がＨ＋イオン（プロトン）に供給される。このようにして、Ｈ＋イオン（プロトン）がこれら電子を捕獲して、水素に転換し、したがって、非導電性材料２内に水素吸蔵装置を形成する。
【００３６】
電子が非導電性材料内に入ることは、システム内に電流が生じることによって、実験的に明らかになることに注意されたい。
【００３７】
従来の電気分解システムと比較すると、材料２は非導電性であるから、単に電流の作用で電子はＨ＋イオンと一緒になることはできない。したがって、発電機によって生じる電界は、これらＨ＋イオンを非導電性材料２を通してカソード板に向かって移動させる。
【００３８】
Ｈ＋イオンがカソード板に近づくと、イオンの静電効果のために、電子はカソード板から離され、非導電性材料を通ってそれらのイオンに向かわされる。これらの現象の背後にある物理的原理は良く知られた―量子力学的トンネル効果、電子的ミクロブレークダウン、又は、場の理論の静電放出である。
【００３９】
最後に、物質内で反応が生じるのを避けるために、カソード板は、水素含有化合物と多少なりとも接触する領域があってはならない。したがって、たとえば、装置は図１に示すように穴を含んでいて、Ｈ＋イオンを通過させることができるが、それらとカソード間のいかなる接触も妨げている。
【００４０】
さらに、外部の環境とは異なる電位差のところに配置されているカソードを、その環境から隔離するために、たとえば、大気を通してのイオンの移動を妨げ、したがって、衝突反応に必要な電子の損失を防ぐ絶縁体で部分的に被覆する。絶縁体は、たとえば、非導電性材料２それ自身か、又は、他の絶縁材料である。
【００４１】
電磁界及び使用される材料に対する各種のパラメータが完全に制御されるならば、前記の一般的な原理が明らかに単に当てはまるものである。
【００４２】
非導電性セラミックス又は水晶の種類の材料に水素を吸蔵するという前記装置の各種のパラメータを定めることによって、以下に、具体的な実施例を説明する。
【００４３】
本発明は、使用される非導電性材料の種類に依存しないことを了解されたい。
【００４４】
特に、本装置は、同じ種類のセラミックス層、若しくは、異なる種類のセラミックス層の連続層に、又は、セラミックス及び水晶の連続層にでも、適合できるよう構成することができる。
【００４５】
２個の板間の、３ｍｍ（ミリメートル）の距離“ｄ”及び１０００ボルトと３００００ボルトの間で変えることができる高電圧に対して、得られる最大電界は、
Ｅ＝ΔＶ／Ｄ＝１０７Ｖ／ｍ
である。
【００４６】
図３に示すように、使用する非導電子材料２は、たとえば、水素を含有するのに適した物理化学的特性を有する六方晶窒化ホウ素、ＨＢＮ、である。その原子に対するファンデルワールス半径を用いる格子モデルは、第一近似で、水素が占めることができる実際の空間を計算することを可能にする。この空間は、原子又は分子の水素のファンデルワールス半径によく適合している。
【００４７】
水素の原子状態及び分子状態のファンデルワールス半径は等しいので、非導電性材料内で水素原子のみならず、分子状態の水素も形成できることに注意されたい。
【００４８】
水素源３は、十分な量のＨ＋イオンを供給できる水性酸性溶液Ｈ３Ｏ＋である。例として、それは、硫酸（Ｈ２ＳＯ４）から次の反応によって得られる。
Ｈ２ＳＯ４＋２Ｈ２Ｏ  →  ＳＯ４２−＋２Ｈ３Ｏ＋
【００４９】
適切な電磁場の強度による十分な量のエネルギを利用して、Ｈ＋イオンを、電気的な力（水素結合）によって拘束された水分子から切り離すことができる。電気装置の端子板の電圧を増加させなければならないとしても、電界Ｅは、すくなくとも統計的には、水溶液からＨ＋イオン（プロトン）のいくらかを引き離すことができる。
【００５０】
装置の電界（１０７Ｖ／ｍ）によって発生した力は、理論的には、水のプロトンの水素結合エネルギよりかなり低い。しかし、Ｈ＋イオンは分子間又は水分子の凝集体間を移動できるので、水素結合よりも低い電界から得られる力でもこれらイオンの一部分を引き抜くことができる。
【００５１】
好ましくは、装置は、媒質を中和することができるアノードを含むこともできることにも注意されたい。Ｈ＋イオンが硫酸から引き抜かれると、圧倒的に多数の負に帯電したＳＯ４２−によって生じる電荷の差は、静電引力によりＨ＋イオンを保持し、非導電性材料に向かうのを阻止する傾向がある。負に帯電したＳＯ４２−イオンを引き付けることによって、したがって、アノードは媒質を中和することができ、それは、水素を発生するためのＨ＋イオンの移動には都合がよい。この特定の態様では、電磁界は、高電圧に上げられるアノードとカソード板によって発生される。
【００５２】
この実施例において、カソード板（４）は、電界Ｅの作用下で、Ｈ＋イオンの移動方向に対応して、高電圧板（１）と一体化してもよい。
【００５３】
装置によって発生した電界は、そして、周知のイオン移行様式のメカニズムによって、Ｈ＋イオンをセラミックスに引き込む。
【００５４】
セラミックスＨＢＮは電気絶縁物であるから、Ｈ＋イオンはセラミックスを通ってカソード板に近づく。それがカソード板から数ナノメートルのときに、図３に示すように、カソード板から得られた電子を捕獲して水素に転換する。
【００５５】
セラミックスは、したがって、水素吸蔵装置を構成し、これは、たとえば、燃料電池内のエネルギベクトルとして、たとえば用いることができる。
【００５６】
特に、燃料電池内で、本発明に使用する非導電性材料は再充填可能な水素タンクとなる。
【００５７】
たとえば、３００Ｋの温度の作用で、水素原子に運動エネルギが与えられ、これで、水素原子が吸蔵されている非導電性材料内で、水素原子は格子から格子へと移動することができる。したがって、セラミックスは、拡散により、かつ、電池動作による加熱で、含有している水素を少しずつ放出する。拡散時間は、非導電材料の格子の大きさに応じて制御することもできる。セラミックスの密度が高くなるほど、水素の拡散時間が長くなる。
【００５８】
最後に、Ｈ＋イオンに供給されるエネルギ、したがって、水素含有化合物にかかる電磁界の力に応じて、非導電材料内のＨ＋イオン及び電子の反応は、中性子を生じる核反応であることに注意されたい。
【００５９】
非導電材料は、したがって、低エネルギのプロトンとカソードから放出される電子間の衝突の後で中性子供給源となる。
【００６０】
本発明の前述の記載は例示としてしたものである。当業者ならば、本特許の範囲から何ら離れることなく、本発明の別の変更例を自由になしうることは明らかである。
【図面の簡単な説明】
【００６１】
【図１】従来技術の、電気分解の原理及び水素の生成を示す。
【図２】本発明の実施例を示す。
【図３】水晶格子内へ水素原子が侵入することを示す。
【図４】非導電性材料内で、カソードに近づくと、水素原子が形成されることに関するメカニズムを示す。
【符号の説明】
【００６２】
１  電界発生器、高電圧板
２  非導電性材料
３  水素含有化合物
４  カソード
【図１】
2008502568.tif 000003
【図２】
2008502568.tif 000004
【図３】
2008502568.tif 000005
【図４】
2008502568.tif 000006
【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
水素含有化合物及び少なくとも１個のカソードから出る少なくとも１個のＨ＋イオンと少なくとも１個の電子を衝突させる装置であって、前記装置は、
前記水素含有化合物から前記Ｈ＋イオンを引き抜き、前記Ｈ＋イオンを前記カソードに向かって移行させるための少なくとも１つの電磁界発生器と、及び、
前記水素含有化合物の少なくとも一部分と前記カソードとの間に配置された少なくとも１つの非導電性材料とを含み、
前記衝突は前記非導電性材料内で起こる、ことを特徴とする装置。
【請求項２】
請求項１に記載の、少なくとも１個のＨ＋イオンと少なくとも１個の電子を衝突させる装置において、前記電磁界発生器は、電位の異なる位置に配置された２個の導電板から構成されることを特徴とする装置。
【請求項３】
請求項２に記載の、少なくとも１個のＨ＋イオンと少なくとも１個の電子を衝突させる装置において、前記カソードが前記導電板のうちの１個と一体であることを特徴とする装置。
【請求項４】
請求項１に記載の、少なくとも１個のＨ＋イオンと少なくとも１個の電子を衝突させる装置において、前記水素含有化合物が酸性電解質水溶液であることを特徴とする装置。
【請求項５】
請求項１に記載の、少なくとも１個のＨ＋イオンと少なくとも１個の電子を衝突させる装置において、前記水素含有化合物は液体化合物であることを特徴とする装置。
【請求項６】
請求項１に記載の、少なくとも１個のＨ＋イオンと少なくとも１個の電子を衝突させる装置において、前記水素含有化合物は固体化合物であることを特徴とする装置。
【請求項７】
請求項１に記載の、少なくとも１個のＨ＋イオンと少なくとも１個の電子を衝突させる装置において、前記水素含有化合物は気体化合物であることを特徴とする装置。
【請求項８】
請求項１に記載の、少なくとも１個のＨ＋イオンと少なくとも１個の電子を衝突させる装置において、前記水素含有化合物はプラズマであることを特徴とする装置。
【請求項９】
請求項１に記載の、少なくとも１個のＨ＋イオンと少なくとも１個の電子を衝突させる装置において、前記非導電性材料はセラミックスであることを特徴とする装置。
【請求項１０】
請求項１に記載の、少なくとも１個のＨ＋イオンと少なくとも１個の電子を衝突させる装置において、前記非導電性材料はセラミックスの少なくとも１つの層から構成されることを特徴とする装置。
【請求項１１】
請求項１に記載の、少なくとも１個のＨ＋イオンと少なくとも１個の電子を衝突させる装置において、前記非導電性材料は水晶の少なくとも１つの層及びセラミックスの少なくとも１つの層から構成されることを特徴とする装置。
【請求項１２】
請求項９に記載の、少なくとも１個のＨ＋イオンと少なくとも１個の電子を衝突させる装置において、前記セラミックスは六方晶系窒化ホウ素（ＨＢＮ）を含むことを特徴とする装置。
【請求項１３】
請求項１に記載の、少なくとも１個のＨ＋イオンと少なくとも１個の電子を衝突させる装置において、前記非導電性材料は前記カソードの少なくとも一部分を覆うことを特徴とする装置。
【請求項１４】
請求項１に記載の、少なくとも１個のＨ＋イオンと少なくとも１個の電子を衝突させる装置において、前記非導電性材料は前記カソードの全部分を覆うことを特徴とする装置。
【請求項１５】
請求項１に記載の、少なくとも１個のＨ＋イオンと少なくとも１個の電子を衝突させる装置において、前記非導電性材料は、前記水素含有化合物と前記カソード間の接触を阻止することを特徴とする装置。
【請求項１６】
請求項１に記載の、少なくとも１個のＨ＋イオンと少なくとも１個の電子を衝突させる装置が、さらにアノードを含むことを特徴とする装置。
【請求項１７】
請求項１に記載の、少なくとも１個のＨ＋イオンと少なくとも１個の電子を衝突させる装置において、前記非導電性材料内での前記Ｈ＋イオンのエネルギは、前記衝突が少なくとも１個の水素原子を発生させるものであることを特徴とする装置。
【請求項１８】
請求項１に記載の、少なくとも１個のＨ＋イオンと少なくとも１個の電子を衝突させる装置において、前記非導電性材料内での前記Ｈ＋イオンのエネルギは、前記衝突が少なくとも１個の中性子を発生させるものであることを特徴とする装置。
【請求項１９】
請求項１に記載の装置と前記装置から放出された水素を供給される燃料電池を含むシステム。
【請求項２０】
水素含有化合物及び少なくとも１個のカソードから出る少なくとも１個のＨ＋イオンと少なくとも１個の電子を衝突させる方法であって、少なくとも下記の工程、
・前記水素含有化合物の少なくとも一部分と前記カソードとの間に、少なくとも１つの非導電性材料を配置し、
・前記水素含有化合物から前記少なくとも１個の前記Ｈ＋イオンを引き抜き、そして、
・前記少なくとも１個のＨ＋イオンを前記非導電性材料内に入れ、前記非導電性材料内で、前記Ｈ＋イオンは前記カソードから供給される少なくとも１個の電子と衝突する、
を含むことを特徴とする方法。
【請求項２１】
請求項２０に記載の、水素含有化合物及び少なくとも１個のカソードから出る少なくとも１個のＨ＋イオンと少なくとも１個の電子を衝突させる方法であって、前記水素含有化合物から少なくとも１個のＨ＋イオンを引き抜く工程が、電磁界を使用して行われることを特徴とする方法。
【請求項２２】
請求項２０に記載の、水素含有化合物及び少なくとも１個のカソードから出る少なくとも１個のＨ＋イオンと少なくとも１個の電子を衝突させる方法であって、前記プロトンを前記非導電性材料内に入れる工程が、イオン移行によって行われことを特徴とする方法。
【請求項２３】
請求項２０に記載の、水素含有化合物及び少なくとも１個のカソードから出る少なくとも１個のＨ＋イオンと少なくとも１個の電子を衝突させる方法であって、前記非導電性材料内での前記Ｈ＋イオンのエネルギは、前記衝突が水素原子を発生させるものであることを特徴とする方法。
【請求項２４】
請求項２０に記載の、水素含有化合物及び少なくとも１個のカソードから出る少なくとも１個のＨ＋イオンと少なくとも１個の電子を衝突させる方法であって、前記非導電性材料内での前記Ｈ＋イオンのエネルギは、前記衝突が中性子を発生させるものであることを特徴とする方法。
【請求項２５】
前記非導電性材料が加熱されて水素を放出する請求項２０に記載の方法。
【請求項２６】
放出された水素が燃料電池を補充する請求項２５に記載の方法。
【国際調査報告】
2008502568.tif 000007
2008502568.tif 000008
2008502568.tif 000009
2008502568.tif 000010
2008502568.tif 000011
2008502568.tif 000012